(57)【要約】【課題】単一の撮像素子の読み出し信号からフレームレート、もしくは画角、もしくは画素数の異なる複数の画像を生成し、それぞれのフレームレート、画角、画素数は可変できる手段を有する撮像装置を提供すること。【解決手段】信号処理手段を複数設けるとともに、該複数の信号処理手段の少なくても１つの信号処理手段の前段に可変サンプリング手段を設け、撮像素子から読み出した信号からフレームレート、もしくは画角、もしくは画素数の異なった複数の画像を上記複数の信号処理手段で同時に生成する。【選択図】　図１
2004040432.tif 000002
【特許請求の範囲】
【請求項１】
撮像素子の受光面に結像するレンズと、該結像された光学像を光電変換する撮像素子と、該撮像素子を駆動する駆動手段と、該駆動手段によって撮像素子から読み出した信号に処理を施す信号処理手段と、上記駆動手段と信号処理手段の動作を制御する制御手段とを有する撮像装置において、
信号処理手段を複数設けるとともに、該複数の信号処理手段の少なくても１つの信号処理手段の前段にサンプリング手段を設け、上記撮像素子から読み出した信号からフレームレート、もしくは画角、もしくは画素数の異なった複数の画像を上記複数の信号処理手段で同時に生成することを特徴とする撮像装置。
【請求項２】
撮像素子の受光面に結像するレンズと、該結像された光学像を光電変換する撮像素子と、該撮像素子を駆動する駆動手段と、該駆動手段によって撮像素子から読み出した信号に処理を施す第一信号処理手段と、該第一信号処理手段の出力に処理を施す第二信号処理手段と、上記駆動手段と、第一信号処理手段と、第二信号処理手段の動作を制御する制御手段とを有する撮像装置において、
第二信号処理手段を複数設けるとともに、該複数の第二信号処理手段の少なくても１つの第二信号処理手段の前段にサンプリング手段を設け、第一信号処理手段の出力からフレームレート、もしくは画角、もしくは画素数の異なった複数の画像を上記複数の信号処理手段で同時に生成することを特徴とする撮像装置。
【請求項３】
請求項１又は２に記載の撮像装置において、サンプリング手段の出力から白色部分の輝度レベル、色相等を抽出する白抽出手段と、該白抽出手段の出力と白色の基準値とのずれを修正する制御を行う制御手段を設け、複数の信号処理手段の出力を選択的に該白抽出手段に入力することによって、画角の広い映像信号を用いてホワイトバランスを自動的に調節することを特徴とする撮像装置。
【請求項４】
請求項１又は２に記載の撮像装置において、サンプリング手段の出力から高周波成分を抽出するための抽出手段と、該抽出手段の出力が最大になるようにレンズの位置を前後方向に移動させるレンズ位置調節手段と、該レンズ位置調節手段を制御する制御手段を設け、複数の信号処理手段の出力を選択的に該制御手段に入力することによって、連続した画素を多くサンプリングしている映像信号を用いて該レンズのフォーカスを自動的に調節することを特徴とする撮像装置。
【請求項５】
請求項１又は２に記載の撮像装置において、撮影画像から動きベクトルを抽出する抽出手段と、該抽出手段の出力を用いて撮像素子からの信号読出し領域を変える制御手段を設け、複数の信号処理手段の出力を選択的に上記抽出手段に入力することによって、画角に応じた動きベクトルを抽出することを特徴とする撮像装置。
【請求項６】
請求項１から５のいずれかに記載の撮像装置において、サンプリング手段はサンプリングレートが可変であることを特徴とする撮像装置。
【発明の詳細な説明】
【０００１】
【発明の属する技術分野】
本発明は、画角の異なった複数の映像信号を同時に撮影する方法に関する。
【０００２】
【従来の技術】
従来の技術は、特開平１１−１２７４４１のように、撮像素子を複数設け、かつ、少なくても１つ以上の撮像素子の受光面サイズが他の撮像素子の受光面サイズと異なるものとし、それぞれの撮像素子の出力に信号処理を施して画角の異なる画像を同時に撮影する方法が知られている。
【０００３】
【発明が解決しようとする課題】
しかしながら、上記従来例では撮像素子を複数用いているため、撮像素子固有の分光特性や感度等にばらつきがあるため制御が複雑になる。また、撮像素子の駆動を行う回路が少なくとも撮像素子の受光面サイズの種類数だけ必要となり回路的に大規模になりコスト的にも高くなる。
【０００４】
次に受光面サイズの異なった撮像素子を複数用いて画角の異なる画像を同時に撮影しているため、撮像素子の受光面サイズで画角が決まってしまい、生成できる複数の映像の画角が制限され多画面撮影の特徴を充分に生かしたシステムとは言い難いものになる。
【０００５】
本発明の課題点は、（１）単一の撮像素子で行うシステムを実現すること、（２）撮影した複数の映像の画角はそれぞれ可変であること等である。
【０００６】
本発明の目的はかかる課題点を解決できる技術を提供することにある。
【０００７】
【課題を解決するための手段】
上記の問題を解決する為に、本発明では単一の撮像素子から読み出した信号に信号処理を施す信号処理手段を複数設け、該複数の信号処理手段の少なくとも１つの信号処理手段の前段にサンプリング手段を設け、フレームレート、もしくは画角、もしくは画素数の異なった複数の画像を上記複数の信号処理手段で同時に生成する。またサンプリング手段のサンプリングレートを可変にする。
【０００８】
【発明の実施の形態】
図１、図２、図３、図４、図５を用いて本発明の一実施例を説明する。図１は本発明の一実施例を示す撮像装置のブロック図、図２、図３、図４、図５は図１のブロック図の動作を説明した図である。
【０００９】
図１において１は光電変換する撮像素子、２は撮像素子１を駆動する駆動部、３，４は例えばフィールドメモリ、あるいはフレームメモリのように撮像素子の読み出し信号を一時保持する保持部、５、６は保持部３，４の出力に信号処理を施す信号処理部、７はシステム全体の制御を行う制御部、８、９は制御部７が出力する保持部３，４への制御信号、１０はレンズである。
【００１０】
レンズ１０は撮像素子１の受光面に結像し、撮像素子１の光電変換した出力を保持部３，４の入力に接続し、保持部３，４の出力はそれぞれ信号処理部５、６の入力に接続し、信号処理部５、６の出力は本システムの出力とし、また、制御部７の複数の出力は制御部２、保持部３，４、信号処理部５、６のそれぞれの入力に接続し、駆動部２の出力は撮像素子１の入力に接続した構成とする。
【００１１】
また、図２、４において１１は水平同期信号、１２は撮像素子２が読み出しを行う縦方向範囲信号、１３、１４と２３は保持部３，４の信号書込み時縦方向制御の一例を示したパルスでありＬＯＷレベルは書込みを行わないことを示す、１５は画素サイクルを示したパルス、１６は撮像素子２が読み出しを行う横方向範囲信号、１７、１８と２４は保持部３，４の信号書込み時横方向制御の一例を示したパルスでありＬＯＷレベルは書込みを行わないことを示すものである。
【００１２】
図３、５において１９は保持部３の書込み動作を説明した図、２０は信号処理部５の出力結果を示した図、２１、２７は保持部４の書込み動作を説明した図、２２、２８は信号処理部６の出力結果を示した図である。
【００１３】
本実施例の動作を説明する。制御部７は保持部３，４に縦方向の書込みを制御信号１３，１４、横方向の書込みを制御信号１７，１８とする制御を行う。この制御により保持部３は読み出し開始から２ラインごとに書込み、書込み停止を繰り返す。また、書込みラインであっても２画素ごとに書込み、書込み停止を繰り返すため、図３の１９の□に示すようなサンプリングをした信号を保持する。信号処理部５は連続的に読み出された前記サンプリング結果に、例えば輝度信号を生成する処理や、色差を表す信号を生成する処理を施し出力結果２０を出力する。また、保持部４は読み出し開始より数ライン後から書込み領域として連続書込みし、Ｌ／２ライン後に書込み停止領域として連続保持をする。書込み領域であっても横方向は読み出し開始より数画素後から書込み領域として連続書込みし、Ｈ／２画素後に書込み停止領域として連続保持をするため図３の２１に示すようなサンプリングを行う。信号処理部６は連続的に読み出された前記サンプリング結果に、例えば輝度信号を生成する処理や、色差を表す信号を生成する処理を施し出力結果２２を出力する。
【００１４】
以上の動作により撮像素子２の１回の信号読み出しで画角の異なる複数の映像信号を生成することができ、その結果図３に示すように全体を見渡す映像と、中心部分を拡大した画像というような組み合わせの映像信号を同時に得られるといった効果がある。
【００１５】
次に、保持部３は撮像素子２の読み出し信号を少なくとも２フィールド分保持できる容量ものとし、インターレース走査の結果の第一フィールド、第二フィールドを保持する。このときの保持動作は上記信号書込み時縦方向制御信号１３，信号書込み時横方向制御信号１７により行われる。その後第一フィールドの第一ライン読み出し、第二フィールドの第一ライン読み出しの順で読み出しを行い順次走査と同様の出力を得る。この出力を用いて信号処理部５は２フィールド分の時間を使い１枚の画像を生成する。
【００１６】
以上の動作を用いる静止画用信号処理と、保持部４、信号処理部６を用いた通常のインターレース動画用信号処理を行い、動画と静止画といったフレームレートの異なる画像を同時に生成することができ、撮影した動画用のサムネイルとして用いる静止画を、同時に得られるといった効果がある。また、シャッタボタン等からの入力をきっかけにして静止画生成処理を始めるならば、動画撮影中に撮影者のこのみで静止画撮影が行えるといった効果がある。また、動画撮影中に定期的に静止画撮影を行うことで例えば監視カメラでは狭い画角の動画を撮影し要点を大きく撮影しながら、定期的に広い画角の静止画を撮影し全体を把握することができ、監視範囲が広がるといった効果があり、かつ、広い画角の動画と狭い画角の動画を撮影するよりも記録する情報量は少なくすむといった効果もある。
【００１７】
ここでは保持部３、信号処理部５の動作を静止画用信号処理、保持部４、信号処理部６を動画用信号処理としたが、静止画用信号処理と動画用信号処理を入れ替えても、双方とも静止画用信号処理あるいは、動画用信号処理でも動作することは言うまでもない。
【００１８】
次に、保持部３、４、信号処理部５、６は双方とも上記静止画用信号処理を行い、かつ、図４、５の制御例のように制御信号１４を縦方向範囲信号１２と一致させた制御信号２３と、制御信号１６を横方向範囲信号１８と一致させた制御信号２４で撮像素子２が読み出しを行い、縦横方向の全範囲を用いて映像を生成する。その結果図５の２０、２８に示すようにサイズの異なる複数の静止画を得ることができ、例えばサムネイル用の小さいサイズの静止画、表示用の大きいサイズの静止画を同時に得られるといった効果がある。
【００１９】
次に、図６、図２、図３、図４、図５を用いて本発明の第二の実施例を説明する。図２、図３、図４、図５は上記の通りである。
【００２０】
図６は本発明の一実施例を示す撮像装置のブロック図である。図６において１は光電変換する撮像素子、２は撮像素子１を駆動する駆動部、２９は撮像装置からの読出し信号に第一の信号処理を施す第一信号処理部、３，４は例えばフィールドメモリ、あるいはフレームメモリのように撮像素子の読み出し信号を一時保持する保持部、３０，３１は保持部３，４の出力に第二の信号処理を施す第二信号処理部、７はシステム全体の制御を行う制御部、８、９は制御部７が出力する保持部３，４への制御信号、１０はレンズである。
【００２１】
レンズ１０は撮像素子１の受光面に結像し、撮像素子１の光電変換した出力を第一信号処理部３１に接続し、第一信号処理部３１の出力は保持部３、４の入力に接続し、保持部３，４の出力はそれぞれ第二信号処理部３２、３３の入力に接続し、第二信号処理部３２、３３の出力は本システムの出力とし、また、制御部７の複数の出力は制御部２、保持部３，４、信号処理部５、６のそれぞれの入力に接続し、駆動部２の出力は撮像素子１の入力に接続した構成とする。
【００２２】
本実施例の動作を説明する。撮像素子１は制御部７の制御を受け光電変換した信号を出力する。第一信号処理部２９は該出力信号に例えば輝度信号を生成する処理や、色差を表す信号を生成する処理を施し出力結果を保持部３，４に入力する。制御部７は保持部３，４に縦方向の書込みを１３，１４、横方向の書込みを１７，１８とする制御を行う。この制御により保持部３は読み出し開始から２ラインごとに書込み、書込み停止を繰り返す。また、書込みラインであっても２画素ごとに書込み、書込み停止を繰り返すため、図３の１９の□に示すようなサンプリングをした信号を保持する。第二信号処理部３０は連続的に読み出された前記サンプリング結果に、例えばフィルタリングなどの処理を施し出力結果２０を出力する。また、保持部４は読み出し開始より数ライン後から書込み領域として連続書込みし、Ｌ／２ライン後に書込み停止領域として連続保持をする。書込み領域であっても横方向は読み出し開始より数画素後から書込み領域として連続書込みし、Ｈ／２画素後に書込み停止領域として連続保持をするため図３の２１に示すようなサンプリングを行う。第二信号処理部３１は連続的に読み出された前記サンプリング結果に、例えば輝度信号を生成する処理や、色差を表す信号を生成する処理を施し出力結果２２を出力する。
【００２３】
以上の動作により１回の撮像素子からの信号読み出しで画角の異なる複数の映像信号を生成することができ、その結果図３の２０，２２に示すように全体を見渡す映像と、中心部分を拡大した画像というような組み合わせの映像信号を同時に得られるといった効果がある。
【００２４】
次に、保持部３は撮像素子２の読み出し信号を少なくとも２フィールド分保持できる容量ものとし、インターレース走査の結果の第一フィールド、第二フィールドを保持する。このときの保持動作は上記信号書込み時縦方向制御信号１３，信号書込み時横方向制御信号１７により行われる。その後第一フィールドの第一ライン読み出し、第二フィールドの第一ライン読み出しの順で読み出しを行い順次走査と同様の出力を得る。この出力を用いて第二信号処理部３０は２フィールド分の時間を使い１枚の画像を生成する。
【００２５】
以上の動作を用いる静止画用信号処理と、保持部４、第二信号処理部３１を用いた通常のインターレース動画用信号処理を行い、動画と静止画といったフレームレートの異なる画像を同時に生成することができ、撮影した動画用のサムネイルとして用いる静止画を、同時に得られるといった効果がある。また、シャッタボタン等からの入力をきっかけにして静止画生成処理を始めるならば、動画撮影中に撮影者のこのみで静止画撮影が行えるといった効果がある。また、動画撮影中に定期的に静止画撮影を行うことで例えば監視カメラでは狭い画角の動画を撮影し要点を大きく撮影しながら、定期的に広い画角の静止画を撮影し全体を把握することができ、監視範囲が広がるといった効果があり、かつ、広い画角の動画と狭い画角の動画を撮影するよりも記録する情報量は少なくすむといった効果もある。
【００２６】
ここでは保持部３、第二信号処理部３０の動作を静止画用信号処理、保持部４、第二信号処理部３１を動画用信号処理としたが、静止画用信号処理と動画用信号処理を入れ替えても、双方とも静止画用信号処理あるいは、動画用信号処理でも動作することは言うまでもない。
【００２７】
次に、保持部３、４、第二信号処理部３０、３１は双方とも上記静止画用信号処理を行い、かつ、図４、５の制御例のように制御信号１４を縦方向範囲信号１２と一致させた制御信号２３と、制御信号１６を横方向範囲信号１８と一致させた制御信号２４で撮像素子２が読み出しを行い、縦横方向の全範囲を用いて映像を生成する。その結果図５の２０、２８に示すようにサイズの異なる複数の静止画を得ることができ、例えばサムネイル用の小さいサイズの静止画、表示用の大きいサイズの静止画を同時に得られるといった効果がある。
【００２８】
また、複数の映像を生成するにあたり共通の処理を行う時、第一信号処理部３１で共通の処理を行い、第二信号処理部３０，３１でそれぞれの特徴を生かす処理を行う構成とすれば小規模な回路で実現できるといった効果もある。
【００２９】
次に、図７を用いて本発明の第三の実施例を説明する。図７は第二の実施例のブロックである図６に保持部３，４のどちらか一方の出力から白色部分を輝度レベル、色相等の条件から抽出する白抽出部３２と、白抽出部３２に入力する映像信号を選択する選択部３３と、制御部７に白抽出部３２の出力と白色の基準値とのずれを修正する制御を新たに付加したものである。
【００３０】
図６のブロック図に加え、選択部３３のそれぞれの入力に保持部３，４の出力を接続し、選択部３３の出力は白抽出部３２の入力に接続し、白抽出部３２の出力は制御部７の入力に接続し、制御部７の新たな出力は選択部３３、白抽出部３２、第二信号処理部３０、３１のそれぞれの入力に接続した構成である。
【００３１】
本実施例の動作を説明する。保持部３，４の出力までの動作は、図６のブロック図と同一であるのでここでは省略する。制御部７は保持部３，４の出力する映像信号の画角の広い方を選択するように選択部３３を制御する。これにより白抽出部３２は、画角の広い映像信号を用い、制御部７から設定された輝度レベル、色相等の条件をもとに白色抽出して結果を制御部７に出力する。制御部７は抽出結果と白色の基準値とを近づけるために映像信号に色相等を調節する制御データを第二信号処理部３０、３１へ入力し、ホワイトバランス制御を行う。
【００３２】
以上の動作により画角の広い映像信号を用いてホワイトバランスの調整を行うため、白として認識する為の輝度レベル、色相等の条件を満たす部分が映像信号中に多く存在することになり、正確なホワイトバランスを行うことができる。また、それぞれ異なる画角の映像信号のホワイトバランス調整を、あるひとつの映像信号からの白抽出結果をもとに行う為、ホワイトバランスの揃った複数の映像信号を生成することができ、ピクチャー・イン・ピクチャー等を行う時に扱い易いといった効果もある。本実施例は第一及び第二の実施例にオートホワイトバランスの手段を加えたものであり、第一及び第二の実施例と同様の効果もあることは言うまでも無い。また、選択部３３は本質的なものではなく、保持部３，４のどちらか一方の出力を常に白抽出部３２に接続し、画角の広い映像信号用とした構成でも同様の効果がある。
【００３３】
次に、図８を用いて本発明の第四の実施例を説明する。図８は第二の実施例のブロックである図６に映像のフォーカスを自動的に調節するために画像の高周波成分を抽出する高周波成分抽出部３４と、保持部３，４の出力から高周波成分抽出部３４に入力する出力を選択する選択部３３と、レンズ１０の位置を制御部７の制御で前後方向に移動させるレンズ位置調節部３５と、制御部７にレンズ位置調節部３５の制御を新たに付加したものである。
【００３４】
図６のブロック図に加え、選択部３９のそれぞれの入力に保持部３，４の出力を接続し、選択部３３の出力は高周波成分抽出部３４の入力に接続し、高周波成分抽出部３４の出力は制御部７の入力に接続し、制御部７の新たな出力は選択部３３、高周波成分抽出部３４、レンズ位置調節部４１のそれぞれの入力に接続し、レンズ１０はレンズ位置調節部３５によって前後方向に移動するように接続した構成である。
【００３５】
本実施例の動作を説明する。保持部３，４の出力までの動作は、図６のブロック図と同一であるのでここでは省略する。制御部７は、保持部３，４の出力する映像信号のうち、連続した画素を多くサンプリングしている方を選択するように選択部３３を制御する。これにより高周波成分抽出部３４は、連続性が高く高周波成分の欠落が少ない映像信号を用い、制御部７から設定された周波数条件等をもとに高周波成分を抽出して制御部７に出力する。制御部７は抽出結果に高周波成分がより多く現れるようにレンズ１０の位置を修正する制御データをレンズ位置調節部３５へ入力し、フォーカスを合わせる制御を行う。
【００３６】
以上の動作により連続した画素をより多くサンプリングしている映像信号を用いてフォーカスの調整を行うため、より正確にフォーカスを合わすことができる。また、それぞれ異なる画角の映像信号のフォーカス調整を、あるひとつの映像信号からの高周波成分抽出結果をもとに行う為、フォーカスが合った複数の映像信号を生成することができ、ピクチャー・イン・ピクチャー等を行う時に扱い易いといった効果がある。本実施例は第一及び第二の実施例にフォーカスの手段を加えたものであり、第一及び第二の実施例と同様の効果もあることは言うまでも無い。また、選択部３３は本質的なものではなく、保持部３，４のどちらか一方の出力を常に高周波成分抽出部３４に接続し、連続した画素を多くサンプリングしている映像信号用とした構成でも同様の効果がある。
【００３７】
図９、図１０、図１１を用いて本発明の第五の実施例を説明する。図９は第二の実施例のブロックである図６に、撮影時に生じる手ぶれ成分を例えばインターレースを考慮して現在のフィールドの映像と、２つ前のフィールドの映像との相関から抽出する動き抽出部３６と、保持部３，４の出力から動き抽出部３６に入力する出力を選択する選択部３３と、制御部７に撮像素子からの信号読出し領域を変える制御を新たに付加したものである。図１０は駆動部２の動作を説明した図、図１１は第二信号処理部３２、３３の動作を説明した図である。
【００３８】
図９は図６のブロック図に加え、選択部３３のそれぞれの入力に保持部３，４の出力を接続し、選択部３３の出力は動き抽出部３６の入力に接続し、動き抽出部３６の出力は制御部７の入力に接続し、制御部７の新たな出力は選択部３３、動き抽出部３６、駆動部２第二信号処理部３０，３１のそれぞれの入力に接続した構成である。図１０の３８は垂直同期信号、３９は垂直方向の高速転送を行うことができる範囲を示したパルス、４０は垂直方向信号読出し制御パルス、４１は手ぶれ発生後垂直方向信号読出し制御パルスである。図１１の４２、４３は元信号、４４は補間信号である。
【００３９】
本実施例の動作を説明する。ここでは垂直方向の動作について説明し、水平方向の動作については垂直方向と同様のため割愛する。保持部３，４の出力までの動作は、図６のブロック図と同一であるのでここでは省略する。制御部７は保持部３，４の出力する映像信号の画角の狭い方を選択するように選択部３３を制御する。また、あまりにも狭い画角の映像信号を用いると、撮影者の手ぶれで例えば現在のフィールドの映像と、２つ前のフィールドの映像との相関がなくなってしまい、動き検出不可能となるため、制御部７は保持部３，４の選択を逆するように選択部３３を制御することで動き検出を可能にする。動き抽出部３６は、制御部７から設定された抽出領域等の条件をもとに手ぶれ成分を抽出して制御部７に出力する。制御部７は手ぶれ成分を打ち消す方向に撮像素子１の読出し範囲を変更するように駆動部２を制御する。駆動部２は撮像素子１の読出し範囲を変えて信号を読み出す。例えば、垂直方向にΔＬの動きが検出されたとする。ここで撮像素子２の垂直方向の画素間隔がΔＧ、読出し開始ラインの変更数がΔＩであるならば、
ΔＩ　＝　ＩＮＴ（ΔＬ／ΔＧ）
と表せる。このとき制御部７は、垂直方向信号読出し制御パルス４０に３９のパルスがＬｏｗであるところにΔＩ個パルスを挿入した手ぶれ発生後垂直方向信号読出し制御パルス４１を生成する制御を行い、撮像素子１の読出し範囲を変えて信号を読出して１画素刻みの手ぶれ補正を行う。また、上記ΔＩの式の小数部分をΔＭとすると、このΔＭを用いて１画素未満の手ぶれ補正を行う。元信号４２、４３間の距離を１とし、補間により生成する補間信号４４の重心をΔＭとすると、例えば
補間信号４４　＝　（元信号４２）＊ΔＭ　＋　（元信号４３）＊（１−ΔＭ）
と表す式のより第二信号処理部３０，３１は補間信号４４を生成し、１画素未満の手ぶれ補正を行う。
【００４０】
以上の動作により画角の狭い映像信号を用いて動き抽出を行うため、正確に動き抽出を行い手ぶれ補正することができる。また、従来手ぶれ補正が目立っていた狭い映像信号を生成している方の第二信号処理部には、より細かい精度のΔＭを供給することによって手ぶれ補正の効果を上げることもできる。また、あまりにも狭い画角の映像信号を用いると、制御部７は保持部３，４の選択を逆するように選択部３３を制御し、動き検出を可能にすることができる。
【００４１】
【発明の効果】
本発明は、撮像素子から読み出した映像信号を複数の保持手段に供給し、それぞれ異なった信号書込み制御を行い、その出力信号に信号処理を施したことにより、撮像素子から読み出した信号からフレームレート、もしくは画角、もしくは画素数の異なる複数の映像信号を生成する撮像装置を提供することができる。
また、ホワイトバランスを調節する時に画角の広い方の映像信号を用いて白抽出を行うことにより、抽出範囲内の信号が多くなり正確なホワイトバランス調節を行う撮像装置を提供することができる。
【００４２】
また、フォーカスを調節する時に連続した画素をより多くサンプリングしている映像信号を用いて高周波成分抽出を行うことにより、抽出範囲内の高周波成分が多くなり正確なフォーカス調節を行う撮像装置を提供することができる。
また、手ぶれ補正をする時に画角の狭い方の映像信号を用いて動き抽出を行うことにより、正確な動き抽出をし、拡大画像でも効果のある手ぶれ補正行う撮像装置を提供することができる。
【図面の簡単な説明】
【図１】本発明の第一の実施例における信号処理装置の構成を示すブロック図である。
【図２】図１のブロック図の動作を説明した図である。
【図３】図１のブロック図の効果を説明した図である。
【図４】図１のブロック図の動作を説明した図である。
【図５】図１のブロック図の効果を説明した図である。
【図６】本発明の第二の実施例における信号処理装置の構成を示すブロック図である。
【図７】本発明の第三の実施例における信号処理装置の動作を説明した図である。
【図８】本発明の第四の実施例における信号処理装置の動作を説明した図である。
【図９】本発明の第五の実施例における信号処理装置の動作を説明した図である。
【図１０】図９のブロック図の動作を説明した図である。
【図１１】図９のブロック図の動作を説明した図である。
【符号の説明】
１・・・・・・撮像素子
２・・・・・・駆動部
３、４・・・・保持部
５、６・・・・信号処理部
７・・・・・・制御部
８、９・・・・制御信号
１０・・・・・・レンズ
１１・・・・・・水平同期信号
１２・・・・・・読み出し範囲（垂直方向）
１３・・・・・・保持部３の信号書込み時垂直方向制御信号
１４、２３・・・保持部４の信号書込み時垂直方向制御信号
１５・・・・・・画素サイクル信号
１６・・・・・・読み出し範囲（水平方向）
１７・・・・・・保持部３の信号書込み時水平方向制御信号
１８、２４・・・保持部４の信号書込み時水平方向制御信号
１９・・・・・・保持部３の信号書込み範囲
２０・・・・・・保持部３から読み出した映像信号
２１、２７・・・保持部４の信号書込み範囲
２２、２８・・・保持部４から読み出した映像信号
２９・・・・・・第一信号処理部
３０，３１・・・第二信号処理部
３２・・・・・・白抽出部
３３・・・・・・選択部
３４・・・・・・高周波抽出部
３５・・・・・・レンズ位置調節部
３６・・・・・・動き検出部
３８・・・・・・垂直同期信号
３９・・・・・・垂直方向高速転送範囲
４０・・・・・・垂直方向信号読出し制御パルス
４１・・・・・・手ぶれ発生後垂直方向信号読出し制御パルス
４２、４３・・・元画素
４４・・・・・・補間信号
【図１】
2004040432.tif 000003
【図２】
2004040432.tif 000004
【図３】
2004040432.tif 000005
【図４】
2004040432.tif 000006
【図５】
2004040432.tif 000007
【図６】
2004040432.tif 000008
【図７】
2004040432.tif 000009
【図８】
2004040432.tif 000010
【図９】
2004040432.tif 000011
【図１０】
2004040432.tif 000012
【図１１】
2004040432.tif 000013